(57)【要約】 【課題】ユーザの利便性等をより向上させること、電子機器の質的向上を図ることが可能なプラグ装着構造を提供する。【解決手段】ジャック１２に対向するフロントパネル８の所定領域に形成された凹部領域に、ジャック１２に向けて開口部９が形成された扉体１０を設け、弾性部材によって扉体１０をジャック１２とは反対の側に常時付勢する。また、弾性部材により付勢される扉体１０の前面がフロントパネル８のパネル面と同じ面となる位置で扉体１０の揺動範囲を規制する規制部材ｂ，１０ｂを備える。外部機器のプラグを開口部９に通し、弾性部材の付勢力に抗して扉体１０を押圧することで、プラグをジャック１２に装着して電子機器への装着を行う。【選択図】  図３
2009283358.tif 000002
【特許請求の範囲】
【請求項１】
外部機器のプラグを電子機器に設けられているジャックに装着するプラグ装着構造であって、
前記ジャックに対向する前記電子機器のフロントパネルの所定領域に形成された凹部領域に、前記ジャック側に向けて揺動自在に設けられた扉体と、
前記ジャックに対向させて前記扉体に形成された開口部と、
前記扉体をジャックとは反対の側に常時付勢する弾性部材と、
前記弾性部材により付勢される前記扉体の前面が前記フロントパネルのパネル面と同じ面となる位置で前記扉体の揺動範囲を規制する規制部材と、を備え、
外部機器のプラグを前記開口部に通し、前記弾性部材の付勢力に抗して前記扉体を押圧することで、前記プラグをジャックに装着して電子機器へ装着すること、
を特徴とするプラグ装着構造。 
【請求項２】
前記規制部材は、前記フロントパネルの裏面に形成された凹段部と、前記扉体の一端に形成され前記凹段部に当接する突起部で構成されていること、
を特徴とする請求項１に記載のプラグ装着構造。 
【発明の詳細な説明】
【技術分野】
【０００１】
本発明は、電子機器に設けられるプラグ装着構造に関する。
【背景技術】
【０００２】
周知の如く、オーディオ機器、ビデオ機器、パーソナルコンピュータ等の電子機器には、外部機器のプラグを接続するためのジャックが設けられている。
【０００３】
例えば、図１（ａ）に模式的に示すように、ディスプレイ１等が設けられた電子機器のフロントパネル２に、ＵＳＢ（Universal Serial Bus）規格に準拠したプラグを有する外部機器を接続するためのＵＳＢ規格に準拠したジャック３が設けられており、ＵＳＢメモリと称されるＵＳＢ規格のプラグを有する外部記憶装置をジャック３に接続し、その外部記憶装置と電子機器との間で所望のデータを複写したり保存することができるようになっている。
【０００４】
また、一般には、図１（ｂ）に示すように、ジャック３の周辺部分に外部機器のプラグを支障なく装着するためのプラグ装着構造が設けられており、フロントパネル２のパネル面全体よりも奥まった凹状の領域４が設けられ、その凹状の領域４の略中央部分にジャック３が設けられることで、プラグ装着構造が実現されている。
【０００５】
つまり、図１（ｂ）中の仮想線Ｘ-Ｘの部分で電子機器を破断した断面図１（ｃ）に示すように、領域３の中央部分に設けられているジャック３に外部機器のプラグＰを挿入して接続させると、凹状の領域４にてプラグＰが囲まれるため、支障なく装着することができるようになっている。
【発明の開示】
【発明が解決しようとする課題】
【０００６】
ところが、上述のプラグ装着構造によると、凹状の領域が、装着可能な外部機器の大きさを制限することとなる。このため、省スペース化や意匠デザインにより、フロントパネルにおいて凹状の領域に割り当てるためのスペースが狭くなってしまう電子機器では、外部機器のプラグをジャックに接続させることができなくなる場合を招来し、結果的に、ユーザが利用できる外部機器の選択の範囲を狭めてしまい、利便性の低下等を招いていた。
【０００７】
また、外部機器のプラグを装着しないときは、凹状の領域がユーザ側に単に露出するだけであるため、上述した機能の問題だけでなくデザイン上の問題もあり、外観上の見栄えが悪く、電子機器の質的向上を図る上で問題となっていた。
【０００８】
本発明は、こうした従来の問題点に鑑みてなされたものであり、フロントパネルの限られたスペースに形成される場合でも、ユーザの利便性等をより向上させることが可能であり、さらに、電子機器の質的向上を図ることが可能なプラグ装着構造を提供することを目的とする。
【課題を解決するための手段】
【０００９】
上記目的を達成するため、請求項１に記載の発明は、外部機器のプラグを電子機器に設けられているジャックに装着するプラグ装着構造であって、前記ジャックに対向する前記電子機器のフロントパネルの所定領域に形成された凹部領域に、前記ジャック側に向けて揺動自在に設けられた扉体と、前記ジャックに対向させて前記扉体に形成された開口部と、前記扉体をジャックとは反対の側に常時付勢する弾性部材と、前記弾性部材により付勢される前記扉体の前面が前記フロントパネルのパネル面と同じ面となる位置で前記扉体の揺動範囲を規制する規制部材と、を備え、外部機器のプラグを前記開口部に通し、前記弾性部材の付勢力に抗して前記扉体を押圧することで、前記プラグをジャックに装着して電子機器へ装着すること、を特徴とする。
【発明を実施するための最良の形態】
【００１０】
本発明の好適な実施形態について、図２から図６を参照して説明する。
【００１１】
まず、図２の斜視図を参照して電子機器の外観形状を概説すると、電子機器５の筐体６の前面に、ディスプレイ７等が設けられたフロントパネル８が取り付けられ、フロントパネル８の所定部分に、外部機器のプラグを挿入するための開口部９が形成された矩形状且つ板状の扉体１０が設けられ、開口部９の奥（筐体６内）に、後述のジャック１２が設けられている。
【００１２】
図３は、開口部９と扉体１０の略中央の部分で破断した場合の拡大縦断面図である。
図３において、筐体６内に配設された電気回路基板１１にジャック１２が設けられると共に、フロントパネル８の裏面側に形成されているジャック支持部１３にてジャック１２が支持されることで、フロントパネル８の裏面側に固定されている。また、ジャック１２の開口部１２ａ、すなわち外部機器のプラグが挿入される開口部１２ａが、扉体１０の開口部９に向けて取り付けられている。
【００１３】
扉体１０は、図示するように、フロントパネル８のパネル面より奥の部分に形成されているジャック支持部１３にて形成された凹部領域内に配設されて取り付けられており、更に扉体１０には、開口部９が形成されている他、フロントパネル８に対して扉体１０を揺動自在に支承するための後述の蝶播部１０ａが形成され、更に、蝶播部１０ａに対して開口部９の反対側（図３では、ディスプレイ７が設けられている上方向）に、フロントパネル８の裏面側に形成されている凹段部８ｂに当接する突起１０ｂが形成されている。つまり、凹段部８ｂと突起１０ｂは、扉体１０の前方側への揺動範囲を規制する規制部材として形成されている。
【００１４】
ここで、開口部９の上下方向の開口幅が、ジャック１２の開口部１２ａの上下方向の開口幅よりも大きく形成されている。つまり、蝶播部１０ａを軸中心として、扉体１０が所定の角度範囲で揺動した場合に、開口部９を介してジャック１２に挿入された外部機器のプラグに開口部９の内壁に当接し負荷を掛けることのないようにするために、開口部９の上下方向の開口幅がジャック１２の開口部１２ａの上下方向の開口幅よりも大きく形成されている。
【００１５】
更に、上述したジャック支持部１３の上端には、扉体１０の突起１０ｂを遊嵌し、扉体１０の所定角度範囲内での揺動を可能にする隙間１３ａが形成されている。つまり、突起１０ｂが隙間１３ａ内で移動し凹段部８ｂに当接するまでの角度範囲内で、扉体１０が揺動できるようになっている。
【００１６】
図４は、上述した蝶播部１０ａの要部構造を示した斜視図である。同図において、蝶播部１０ａは、上述した揺動を可能とするために、複数の樽形状の部分として形成されており、複数の樽形状の部分の間に支承軸１０ｃが設けられ、さらに支承軸１０ｃの一端に、弾性部材であるスプリングＳＰが取り付けられている。一方、フロントパネル８の裏面側の所定位置に、蝶播部１０ａを嵌め込むための凹部８ｄを生じさせる複数の凸部８ａが形成され、さらに凸部８ａの上端には、支承軸１０ｃが嵌め込まれ、抜け止めを防止する返し構造を有する支承溝８ｃが形成されている。
【００１７】
そして、支承溝８ｃ内に支承軸１０ｃが嵌め込まれ、スプリングＳＰの一端が扉体１０の裏面に係止されると共に、スプリングＳＰの他端がフロントパネル８の裏面に係止され、扉体１０の突起１０ｂが、図３に示した隙間１３ａ内に遊嵌されることで、扉体１０がスプリングＳＰの弾性力を受けつつ揺動自在に動くようになっている。
【００１８】
次に、以上に説明したプラグ装着構造の機能について、図３、図５、図６を参照して説明する。なお、図５、図６は図３に対応させて示した縦断面図である。
【００１９】
まず、図３において、外部機器のプラグを装着しないときには、扉体１０は上述したスプリングＳＰの弾性力が常に付勢され、突起１０ｂが凹段部８ｂに当接する。これにより、扉体１０は、フロントパネル８のパネル面より前方に出っ張ることなく静止したままとなり、扉体１０の前面がフロントパネル８のパネル面とほぼ同じ（いわゆる、面一の状態）となり、外観を見て、視覚的に美観を損ねることがない。
【００２０】
次に、図５に示すように、扉体１０の開口部９より上下方向において若干サイズの小さい外部機器ＤＶ１のプラグＰＬ１を開口部９に挿入した場合、扉体１０は揺動することなく、プラグＰＬ１は開口部９を貫通しジャック１２内に嵌め込むことができる。そして、プラグＰＬ１がジャック１２に嵌め込まれたままの状態となって扉体１０はフロントパネル８の内部側へは傾かず、外部機器ＤＶ１が装着されたままになる。
【００２１】
次に、外部機器ＤＶ１をジャック１２から抜き出して開口部９からも抜き出すと、引き続き図３に示したように、突起１０ｂが凹段部８ｂに当接し、扉体１０がフロントパネル８のパネル面より前方に出っ張ることなく静止したままのため、扉体１０の前面がフロントパネル８のパネル面とほぼ同じ（いわゆる、面一の状態）となり、外観を見て、視覚的に美観を損ねることがない。
【００２２】
次に、図６に示すように、扉体１０の上下方向において若干サイズの大きい外部機器ＤＶ２のプラグＰＬ２を開口部９に挿入し、上述したスプリングＳＰの弾性力に抗して扉体１０を押圧すると、扉体１０が揺動して突起１０ｂが隙間１３ａ内を移動し、プラグＰＬ２をジャック１２内に嵌め込むことができる。そして、プラグＰＬ２がジャック１２に嵌め込まれたままの状態となって扉体１０もフロントパネル８の内部側へ傾いたままとなり、外部機器ＤＶ２が装着されたままになる。
【００２３】
つまり、図５に示した外部機器ＤＶ１よりサイズの大きい外部機器ＤＶ２を装着する場合にも、外部機器ＤＶ１と同様に装着することができる。このことは、外部機器ＤＶ１と外部機器ＤＶ２との間のサイズの外部機器であれば、装着することができることを意味しており、ユーザの外部機器の選択の幅を狭めないことを意味し、利便性の向上を図ることが可能となっている。
【００２４】
次に、外部機器ＤＶ２をジャック１２から抜き出して開口部９からも抜き出すと、上述したスプリングＳＰの弾性力を受けて扉体１０が前方向に揺動し、図３に示したように、突起１０ｂが凹段部８ｂに当接し、扉体１０がフロントパネル８のパネル面より前方に出っ張ることなく静止したままとなり、扉体１０の前面がフロントパネル８のパネル面とほぼ同じ（いわゆる、面一の状態）となり、外観を見て、視覚的に美観を損ねることがない。
【００２５】
以上に説明したように、本実施形態のプラグ装着構造によれば、ジャックに対向する開口部を有すると共にスプリングによりフロントパネルの前面側に付勢され扉体を設け、外部機器が装着されないときには、扉体の一端がフロントパネルの一端に当接して、扉体の前面がフロントパネルのパネル面と同じ面となるように静止し、また、開口部内に挿入可能な小さな外部機器が装着されたときにも、扉体の一端がフロントパネルの一端に当接して、扉体の前面がフロントパネルのパネル面と同じ面となるように静止し、一方、比較的大きな外部機器が装着される際にスプリングの付勢力に抗して押圧されると、扉体が揺動して外部機器のプラグをジャックに装着することができる構造となっている。
【００２６】
このため、ユーザが装着することができる外部機器のサイズの選択範囲を広げることができ、利便性の向上を図ることが可能である。
【００２７】
また、外部機器を装着しないときには、扉体の前面がフロントパネルのパネル面と同じ面となるように静止することから、外観を見て、視覚的に美観を損ねることの無い電子機器を製造することができる。
【図面の簡単な説明】
【００２８】
【図１】従来のプラグ装着構造の説明するための図である。
【図２】実施形態に係るプラグ装着構造が設けられた電子機器の外観形状を説明するための斜視図である。
【図３】実施形態に係るプラグ装着構造を詳細に説明するための縦断面図である。
【図４】更に、実施形態に係るプラグ装着構造を詳細に説明するための斜視図である。
【図５】実施形態に係るプラグ装着構造の機能を説明するための縦断面図である。
【図６】更に、実施形態に係るプラグ装着構造の機能を説明するための縦断面図である。
【符号の説明】
【００２９】
８…フロントパネル
８ｂ…凹段部
９…開口部
１０…扉体
１０ｂ…突起
１２…ジャック
【図１】
2009283358.tif 000003
【図２】
2009283358.tif 000004
【図３】
2009283358.tif 000005
【図４】
2009283358.tif 000006
【図５】
2009283358.tif 000007
【図６】
2009283358.tif 000008